Podtech/llm-jp-corpus-v4-ja_patent huggingface dataset:
(57)【要約】【課題】記録媒体として特定ハードウェアに依存するデータベースを使用する従来の電子墓地はハードウェア障害またはソフトウェア障害または侵入者によってデータの消失、改ざんの可能性がある。定期的な保守作業および機器更新作業を必要とし、長期維持のコストが大きく、数十年、数百年に渡る運用ができず故人の情報を失う可能性がある。【課題を解決するための手段】トランザクションに付帯情報記録領域を有するブロックチェーンを用い、非中央集権的記録保持を行う。電子墓地情報の管理用アドレスへのトランザクションを発行し、トランザクションの付帯情報記録領域に墓主の生前中に於ける情報、物故後に於ける情報を記録する。これにより情報保持のための保守作業および機器更新作業は不要となり、対象のブロックチェーンネットワークが世界から消失するまで墓主の生前中に於ける情報、物故後に於ける情報を改ざんおよび消失することなく維持、参照できる。【選択図】図１
2019121328.tif 000002
【特許請求の範囲】
【請求項１】
ブロックチェーンの付帯情報記録領域を利用し墓情報を記録する電子葬の方法であって、
前記墓情報は墓主の生前中に於ける情報、物故後に於ける情報であって、
ブロックチェーンの管理用アドレスへトランザクションを発行し、トランザクションの付帯情報記録領域へ墓主の生前中に於ける情報、物故後に於ける情報の記録を行うことを特徴とする電子葬の方法。
【請求項２】
ブロックチェーンを探索し墓情報の一覧表示を行うプログラムであって、
前記探索はブロックチェーンに記録された管理用アドレスの台帳からトランザクションと付帯情報記録領域を探索し複数取得することであって、
前記墓情報は墓主の生前中に於ける情報、物故後に於ける情報であって、
複数取得されたトランザクションと付帯情報記録領域より墓主の生前中に於ける情報、物故後に於ける情報を取得し、操作者へ提示することを特徴とするプログラム。
【請求項３】
ブロックチェーンを探索し操作者が指定する墓情報を提示するプログラムであって、
前記墓情報は墓主の生前中に於ける情報、物故後に於ける情報であって、
前記探索はブロックチェーンに記録された管理用アドレスの台帳のトランザクションのうち、指定するブロックチェーンのブロックの高さまたはブロックヘッダハッシュ値に合致するトランザクションを探索し取得することであって、
取得されたトランザクションと付帯情報記録領域より墓主の生前中に於ける情報、物故後に於ける情報を取得し、操作者へ提示することを特徴とするプログラム。
【発明の詳細な説明】
【技術分野】
【０００１】  本発明は、故人の情報を消失することなく低コストかつ永続的に後世へ残すための電子葬と電子墓地に関するものである。
【先行技術文献】
【特許文献】
【０００２】
【特許文献１】特開２００２−３３４１６３号公報
【非特許文献】
【０００３】
【非特許文献１】アンドレアス・Ｍ・アントノプロス著「ビットコインとブロックチェーン：暗号通貨を支える技術」エヌティティ出版、２０１６年７月１４日、ｐ．１５−１８１
【発明の概要】
【発明が解決しようとする課題】
【０００４】  記録媒体として特定のハードウェアに依存するデータベースを使用した従来の電子墓地はハードウェア障害またはソフトウェア障害または侵入者によってデータの改ざんや消失の可能性がある。また、セキュリティ対策、ハードウェアの故障の問題に対応するために、定期的な保守作業および機器更新作業を必要とし、長期維持のコストが大きく、数十年、数百年に渡る運用ができずに故人の情報を失う可能性がある。
【課題を解決するための手段】
【０００５】  トランザクションに付帯情報記録領域を有するブロックチェーンを用い、非中央集権的記録保持を行う。電子墓地情報の管理用アドレスへのトランザクションを発行し、トランザクションの付帯情報記録領域に墓主の生前中に於ける情報、物故後に於ける情報を記録する。記録した内容の参照のため、記録先トランザクションのブロックの高さ、及びブロックヘッダハッシュ値を操作者へ提示する。これにより情報保持のための保守作業および機器更新作業は不要となり、対象のブロックチェーンネットワークが世界から消失するまで墓主の生前中に於ける情報、物故後に於ける情報を改ざんおよび消失することなく維持できる。
【選択図】
図１
【図１】
2019121328.tif 000003
【図２】
2019121328.tif 000004
【手続補正書】
【提出日】平成30年4月5日(2018.4.5)
【手続補正１】
【補正対象書類名】明細書
【補正対象項目名】全文
【補正方法】変更
【補正の内容】
【発明の詳細な説明】
【技術分野】
【０００１】  本発明は、故人の情報を消失することなく低コストかつ永続的に後世へ残すための電子葬と電子墓地に関するものである。
【先行技術文献】
【特許文献】
【０００２】
【特許文献１】特開２００２−３３４１６３号公報
【非特許文献】
【０００３】
【非特許文献１】アンドレアス・Ｍ・アントノプロス著「ビットコインとブロックチェーン：暗号通貨を支える技術」エヌティティ出版、２０１６年７月１４日、ｐ．１５−１８１
【発明の概要】
【発明が解決しようとする課題】
【０００４】  記録媒体として特定のハードウェアに依存するデータベースを使用した従来の電子墓地はハードウェア障害またはソフトウェア障害または侵入者によってデータの改ざんや消失の可能性がある。また、セキュリティ対策、ハードウェアの故障の問題に対応するために、定期的な保守作業および機器更新作業を必要とし、長期維持のコストが大きく、数十年、数百年に渡る運用ができずに故人の情報を失う可能性がある。
【課題を解決するための手段】
【０００５】  トランザクションに付帯情報記録領域を有するブロックチェーンを用い、非中央集権的記録保持を行う。電子墓地情報の管理用アドレスへのトランザクションを発行し、トランザクションの付帯情報記録領域に墓主の生前中に於ける情報、物故後に於ける情報を記録する。記録した内容の参照のため、記録先トランザクションのブロックの高さ、及びブロックヘッダハッシュ値を操作者へ提示する。これにより情報保持のための保守作業および機器更新作業は不要となり、対象のブロックチェーンネットワークが世界から消失するまで墓主の生前中に於ける情報、物故後に於ける情報を改ざんおよび消失することなく維持できる。
【図面の簡単な説明】
【０００６】
【図１】概要図
【図２】処理の順序を示すフローチャート
【符号の説明】
【０００７】１  記録者
２  記録端末
３  墓主の生前中に於ける情報、物故後に於ける情報
４  トランザクション
５、６  参照端末
７、８  ブロックの高さ、ブロックヘッダハッシュ値
９  管理用アドレス
１０  ブロックチェーンネットワーク
１１  参照者
(57)【要約】      （修正有）【課題】電気製品の異常高温を感知して、電源を遮断する好適な高温遮断センサー付きコードコンセントを提供する。【解決手段】電気製品の発火事故の恐れのある箇所に手動復帰型サーモスタット１を配置して異常な温度上昇時には電源を遮断する。高温遮断センサー付きコードコンセント３を提供。【選択図】図３
2019133903.tif 000002
【特許請求の範囲】
【請求項１】
電気製品内部品の異常温度上昇を感知して、サーモスタット（１）が電源を遮断する、コードコンセント。
【請求項２】
複数個のサーモスタット（１）を直列に配した請求項１に記載のコードコンセント。
【発明の詳細な説明】
【技術分野】
【０００１】  本発明は，電気製品の異常高温を感知して，電源を遮断する好適な高温遮断センサー付きコードコンセントに関する。
【背景技術】
【０００２】  電気製品の異常高温防止用センサーが内蔵されているがそれでも発火事故が後を絶たなかった。
【発明の概要】
【発明が解決しようとする課題】
【０００３】  従来の電気製品には，想定外に高温になる部品などがあり，一個の高温防止センサーだけでは，全体を監視出来なかった。
【課題を解決するための手段】
【０００４】  従来の電気製品に複数の手動復帰型サーモスタットを配置して，そのうちの一個が感知すれば電源を遮断して火災予防となる。
【発明の効果】
【０００５】  電気製品は留守中又は就寝中の使用も多く，二重以上の安全装置が加わることで想定外の火災事故を減らすことができる。
【図面の簡単な説明】
【０００６】
【図１】本発明の配置平面図である。
【図２】本発明の配置正面図である。
【図３】本発明の回路図である。
【発明を実施するための形態】
【０００７】［以下、本発明を実施する形態を図１に基ずいて説明する  図１においては、本発明品をボックス内にセットした図である、ＡＣアダプター（７）からスマートフォン（６）に充電中、異常高温を感知すると手動復帰型サーモスタット（１）が電源を遮断する。
【符号の説明】
【０００８】  １  手動復帰型サーモスタット
２  熱伝導板
３  コンセント
４  コード
５  キャップ
６  スマートフォン
７  ＡＣアダプター
８  サーモスタット復帰ボタン
９  異常検知灯
【図１】
2019133903.tif 000003
【図２】
2019133903.tif 000004
【図３】
2019133903.tif 000005
(57)【要約】【課題】従来のホームページ上に掲載してある静止画で得ていた情報につき、今まで以上に正確に、素早く把握・認識出来るようなサービスを提供する。【解決手段】３６０°静止画と動画再生により対象となる場所・物・事を何度でも、必要なところだけ素早く閲覧出来、閲覧者があたかもその場にいて、対象となる場所・物・事の下見効果を得ることが出来ることが特徴。【選択図】図１
2019133612.tif 000002
【特許請求の範囲】
【請求項１】
各ホームページ上に設置している静画及び動画閲覧サービスで、同閲覧により、対象となる場所、物、事、の情報がより正確に（従来の静止画以上に）サービスを受ける側に伝わる事。
【請求項２】
動画に関してはストリーミングにより、素早く閲覧出来、知りたい情報を絞っての検索も可能となっている事。
【発明の詳細な説明】
【技術分野】
【０００１】この発明は、インターネット上で自分があたかもその現場に行ったかのように３６０°静止画及び動画を閲覧・状況確認を行うことが出来る、というサービス。
【背景技術】
【０００２】従来、ホームページ上では静止画のみの配信・紹介であった。
【先行技術文献】
【特許文献】
【０００３】
【特許文献１】
【発明の概要】
【発明が解決しようとする課題】
【０００４】今までは次のような欠点があった。
（イ）（飲食店の場合）ホームページ上の静止画だけでは写真の取り方によって実際と異なる印象を受ける場合があり、結果、飲食店の予約など本来の期待している結果にそぐわない場合がある。
（ロ）（宿泊施設の場合）ホームページ上の静止画だけでは写真の取り方によって実際とことなる印象や想定している部屋の雰囲気が十分に理解出来ない場合があり、結果、宿泊施設の予約の失敗に繋がる事がある。
（ハ）（テーマパークや施設の場合）ホームページ上の静止画や図だけでは実際に動線確認作業が不十分な事があり、結果、テーマパークやホールなどで当日右往左往してしまうことがある。
本発明は、以上のような欠点をなくすためになされたものである。
【課題を解決するための手段】
【０００５】本発明は３６０°静止画に加えて、あたかも自分がその場にいるような動画が閲覧出来、実際にそのサービスを通してその場所の情報（場所、外観、内観、料理、配置、徒歩所要時間、雰囲気）を素早く、より正確に得ることが出来るようにするサービスである。
【発明の効果】
【０００６】３６０°静止画や動画での閲覧によりお店の外観・内観・部屋サイズ・料理について今までの静止画以上に正確に且つ、素早く情報を得ることが出来る。
【図面の簡単な説明】
【０００７】
【図１】ホームページ閲覧者が同サービスを受けるまでの全体の流れ
【図２】ホームページ上に設置する起動ボタンの一例
【図３】静止画の一例
【図４】動画の一例
【発明を実施するための形態】
【０００８】以下、本発明を実施するための形態について説明する。
▲１▼飲食店の場合
お店のＷＥＢＳＩＴＥ上に「ＯＮ  ＳＩＴＥ  ＥＹＥＳ〜あたかも君〜」のアイコンを設置する。アイコンをクリックすると、静止画と動画が閲覧出来るページに移動する。静止画は３６０°カメラで撮った写真を掲載、お店の雰囲気の全体感を捉えながら店内情報を確認出来る。動画はストリーミングにて素早く閲覧可能。単純なプロモーションビデオとは異なり、各スポット（外観、入口部、個室、キッチン、料理、店内全体）の中で閲覧者が見たい場所（閲覧者が気になる場所）のみを見る事が出来る。尚且つ、３６０°カメラでの撮影も行い、実際の営業時間内の雰囲気（お客が入っている時の雰囲気）も味わえる様にする。メリットとしては何度も閲覧者が気になる場所だけを素早く閲覧する事が出来、本当に知りたい情報をより正確に得ることが出来る。
※営業時間内の撮影はお店とお客との合意の上、若しくはスタッフが客としてイメージビデオに協力する事が前提。
▲２▼宿泊施設の場合
宿泊先のＷＥＢＳＩＴＥ上に「ＯＮ  ＳＩＴＥ  ＥＹＥＳ〜あたかも君〜」のアイコンを設置する。アイコンをクリックすると、静止画と動画が閲覧出来るページに移動する。静止画は３６０°カメラで撮った写真を掲載、施設の雰囲気の全体感を捉えながら確認可能。動画はストリーミングにて素早く閲覧可能。単純なプロモーションビデオとは異なり、各スポット（外観、入口部、個室、入浴場、料理、施設全体、宿泊先からの景色）の中で閲覧者が見たい場所（閲覧者が気になる場所）のみを見る事が出来る。尚且つ、３６０°カメラでの撮影も行い、実際に宿泊している場合の雰囲気（宿泊者が寛いでいる時の雰囲気）も味わえる様にする。メリットとしては何度も自分の気になる場所だけを閲覧する事が出来、本当に知
りたい情報を確実に得ることが出来る。
※営業時間内の撮影は施設とお客との合意の上、若しくはスタッフが客としてイメージビデオに協力する事が前提。
【符号の説明】
【０００９】  １  ＯＮ  ＳＩＴＥ  ＥＹＥＳ〜あたかも君〜のアイコンボタン
２  静止画写真
３  実寸（単位：ｍｍ）
４  対象物の名称
５  動画映像
６  実寸（単位：ｍｍ）
７  対象物の名称
８  再生時間（始まり）
９  再生時間（終わり）
１０再生時間（閲覧中の時間）
【図１】
2019133612.tif 000003
【図２】
2019133612.tif 000004
【図３】
2019133612.tif 000005
【図４】
2019133612.tif 000006
(57)【要約】      （修正有）【課題】鮮度よい配膳が可能になり、衛生且つ機能を充足したおろし器を提供すること。【解決手段】ツメ部材をカップ形に設け、これを本体カップ１でハンドル付きの吊り鐘状に組み立てる。ツメカップ４には内面に沿ってハンドル３を共用する一対のワイパー７が併設される。材料供給口１ａに食材を入れ、ハンドル３を右回転する。この時他側の手では、キャップを使って材料に若干の押圧と、本体カップ１の安定手段に充てる。終了時点では、ハンドル３を左回転し、ツメカップ内面のワイパー７を使って同面を一掃する。【選択図】図１
2019000610.tif 000002
【特許請求の範囲】
【請求項１】
根菜おろし器に於いて、ハンドル仕様の為、ツメ部材をカップ型に設けたことを特徴とする根菜おろし器。
【請求項２】
根菜おろし器に於いて、ツメカップの内面にワイパーを付設し、同カップとハンドルを共用するように設けたことを特徴とする根菜おろし器。
【発明の詳細な説明】
【技術分野】
【０００１】  本発明はキッチン用品で、根菜類のおろし器に関するものである。
【背景技術】
【０００２】  一般に根菜類のおろしは、食味の蒸散が早くなる為、作り置きには時間を考慮する必要があった。
【先行技術文献】
【０００３】
【特許文献１】特願２００４−２１０６５４
【発明の概要】
【発明が解決しようとする課題】
【０００４】  之に因って本発明は、おろし器の使用が特にテーブルサイドで当れるタイプになることを目指す。
【課題を解決する為の手段】
【０００５】  ツメ部材をカップ形に設け、之を本体カップでハンドル付きの吊り鐘状に組み立てるが、そのツメカップには内面に沿ってハンドルを共用する一対のワイパーが併設される。
【発明の効果】
【０００６】  材料装填の次穴で即席的に鮮度よい配膳がなり、衛生且つ機能を充足したキッチン用品とすることができる。
【図面の簡単な説明】
【０００７】
【図１】：ツメ孔の省略と概略して表わした本発明の内部側面図。
【図２】：材料供給口用押し込み型キャップ
【発明を実施する為の形態】
【０００８】  材料供給口（１ａ）に然るべき対応をとり、ハンドル（３）を右回転する。
この時他側の手では、キャップ（８）を使って材料に若干の押圧と、本体（１）の安定手段に充てる。
なお、終了時点では、ハンドル（３）を左回転し、ツメカップ内面のワイパー（７）を使って同面を一掃する。
【符号の説明】
【０００９】１：本体カップ  １ａ：材料供給部  １ｂ：取っ手
２：蓋          ３：ハンドル      ４：ツメカップ
５：右回転ラチェット（ツメカップ用）
６：左回転ラチェット（ワイパー用）
７：ワイパー    ８：差し込み型キャップ
【図１】
2019000610.tif 000003
【図２】
2019000610.tif 000004
(57)【要約】      （修正有）【課題】買物袋の両端を固定し、さらに僅かな平面、若しくは、若干の傾斜面に本フックを固定することができることから、例えばゴミ袋として活用する買物袋を様々な場所に固定し活用することができるビニール製等のいわゆる買い物袋をテーブル等に固定するフックを提供する。【解決手段】Ｗ若くはＭ字の物（１）の両端にフック（２）を設ける。Ｗ若くはＭ字の物の例えばテーブルの上面に接する部分（３）にゴム等摩擦係数の高い物質を取り付けたビニール製等のいわゆる買い物袋をテーブル等に固定するフックを特徴とする。【選択図】図１
2019000604.tif 000002
【特許請求の範囲】
【請求項１】
Ｗ若くはＭ字の物（１）の両端にフック（２）を設ける。Ｗ若くはＭ字の物の例えばテーブルの上面に接する部分（３）にゴム等摩擦係数の高い物質を取り付けたビニール製等のいわゆる買い物袋をテーブル等に固定するフック。
【発明の詳細な説明】
【技術分野】
【０００１】  この発明は、Ｗ又はＭ字型の物の両端にフックを設けたビニール製等のいわゆる買い物袋（以下買物袋という）をテーブル等に固定するフックに関するものである。
【背景技術】
【０００２】  従来、買物袋をテーブルなどの平面を有する様々な場所に自由に固定するフックはなかった。
【先行技術文献】
【特許文献】
【０００３】
【特許文献１】
【発明の概要】
【発明が解決しようとする課題】
【０００４】  これは、次の様な欠点があった。
従来、買物袋を何かに固定するフックは、買物袋の取手部の一端を固定するに留まるものであったり、両端を固定しても買物袋の置き場所が限定されてしまう欠点があった。
本発明は、以上の様な欠点をなくすためになされたものである。
【発明の効果】
【０００５】  買物袋の両端を固定し、さらに僅かな平面、若しくは、若干の傾斜面に本フックを固定することができることから、例えばゴミ袋として活用する買物袋を様々な場所に固定し活用することができる。
【図面の簡単な説明】
【０００７】
【図１】  本発明の斜視図である。
【発明を実施するための形態】
【０００８】  以下、本発明を実施するための形態について説明する。
Ｗ若くはＭ字の物（１）の両端にフック（２）を設ける。Ｗ若くはＭ字の物の例えばテーブルの上面に接する部分（３）にゴム等摩擦係数の高い物質を取り付ける。
【符号の説明】
【０００９】  １  Ｗ若くはＭ字の物
２  フック
３  Ｗ若くはＭ字の物の、例えばテーブルの上面に接する部分
【図１】
2019000604.tif 000003
(57)【要約】      （修正有）【課題】僅かな平面、若しくは、若干の傾斜面に本フックを固定することができることから、リュックサックやバックなどを様々な場所に固定することができるリュックサックやバックなどをテーブルなどに固定するフックを提供する。【解決手段】Ｌ字型の物１のテーブルなどの上面４に当たる部位にゴムなどの摩擦係数の高い物質２を取り付けたフック。【選択図】図２
2019000609.tif 000002
【特許請求の範囲】
【請求項１】
Ｌ字型の物（１）のテーブルなどの上面に当たる部位にゴムなどの摩擦係数の高い物質（２）を取り付けたリュックサックやバックなどをテーブルなどに固定するフック。
【発明の詳細な説明】
【技術分野】
【０００１】  この発明は、Ｌ字型の物の一部にゴムなどの摩擦係数が高い物質を取り付けることによってリュックサックやバックなどをテーブル等に固定するフックに関するものである。
【背景技術】
【０００２】  従来、リュックサックやバックなどをテーブルなどの平面を有する様々な場所に自由に固定するフックはなかった。
【先行技術文献】
【特許文献】
【０００３】
【特許文献１】
【発明の概要】
【発明が解決しようとする課題】
【０００４】  これは、次の様な欠点があった。
従来、リュックサックやバックをテーブルなどに固定するフックは、テーブルなどに設置されたフックなどに掛けていたものであり、置き場所が限定されてしまう欠点があった。
本発明は、以上の様な欠点をなくすためになされたものである。
【発明の効果】
【０００５】  僅かな平面、若しくは、若干の傾斜面に本フックを固定することができることから、リュックサックやバックなどを様々な場所に固定することができる。
【図面の簡単な説明】
【０００７】
【図１】本発明の斜視図である。
【図２】本発明を横から見た断面図である。
【発明を実施するための形態】
【０００８】  以下、本発明を実施するための形態について説明する。
Ｌ字型の物（１）のテーブルなどの上面（４）に当たる部位にゴムなどの摩擦係数の高い物質（２）を取り付ける。（３）の部位にリュックサックやバックなどの取っ手などを取り付ける。
【符号の説明】
【０００９】  １  Ｌ字型の物
２  ゴムなどの摩擦係数の高い物質
３  リュックサックやバックなどの取っ手などを取り付ける部位
４  テーブルなどの上面
【図１】
2019000609.tif 000003
【図２】
2019000609.tif 000004
(57)【要約】【課題】猫背による誤飲は増加傾向にあり、予防として首筋と背筋を真直ぐにするため簡単な方法で猫背対策具を背裏に装着し、繰り返すことにより習性とし猫背に対する諸病対策具を提供する。【解決手段】背筋を真直ぐな姿勢に保ちたいと思う人に頭から腹部迄の長さの長方形板Ｂを作り、両端を持って上半身のマッサージが出来ると共に、猫背対策具Ａを縦にして長方形板Ｂの上部に頭用紐Ｄを帽子Ｅの後部に縫い付け両端を帽子用穴Ｃ、Ｃ１に通して結び目Ｄ３を作り、胸を少し前に出したい場合はクッション材Ｆを付けた胸用紐Ｄ１を胸用穴Ｃ２、Ｃ３に通して結び目Ｄ３を作り、下部にあけた腹用穴Ｃ４、Ｃ５に通した腹用紐Ｄ２の両端を腹上で結んで結び目Ｄ３を作り、猫背対策具Ａを背に装着すると首筋と背筋が真直ぐになる。【選択図】図２
2019000603.tif 000002
【特許請求の範囲】
【請求項１】
背筋を真直ぐな姿勢に保ちたいと思う人に、板の長さは頭から背裏の一番凹位とし、人は誰でも１枚の板を横にして背裏で脇の下から胸腹部に置いて後ろから抱えると胸を張った背筋が真直ぐな姿勢になり、背裏に置いて両手で両端を持ち上げると脇下迄容易に届き、背筋を真直ぐにしながら手軽に両手で上下に移動させる事により背面を容易に効率良くマッサージ出来る事を特徴とする猫背対策具。
【請求項２】
請求項１の長方形板を背中から外し、横にして両手で両端を持ち腹部、側腹部をマッサージ出来る事を特徴とする猫背対策具。
【請求項３】
請求項１の長方形板を縦にして背中に置き、装着する方法は上部に２個の穴を空け頭用紐の中心を帽子又は鉢巻の後部に縫い付け、紐の両端を穴に通して棒の裏で結び、下部に２個の穴を空け穴に通した腹用紐の両端を腹上で解ける結び目を作って上下２ヶ所で  装着し頭と腹裏間は背を真直ぐにならざるをえない状態になる事を特徴とする猫背対策具。
【請求項４】
請求項３で胸部を更に前に張った状態にしたい人には胸部裏で接触する板に胸用紐の通る２個の穴を空け、クッション材に付けた紐を２穴に通して結び、クッション材によって胸を更に張った状態にする事を特徴とする猫背対策具。
【請求項５】
請求項３で常時帽子又は鉢巻を長方形板に付けて置けば、腹上での紐の繋ぐ事だけの短時間作業で首筋と背筋が真直ぐになる事を特徴とする猫背対策具。
【請求項６】
人は老齢になるに従い猫背による諸病、特に誤飲が多くなり背を真直ぐにする習性を身に付ける事により、猫背による諸病予防に貢献する事を特徴とする猫背対策具。
【発明の詳細な説明】
【技術分野】
【０００１】  一枚の板を使用した用具で首筋背筋を真直ぐの習性を身に付け、猫背による諸病を少なくすることに関することである。
【背景技術】
【０００２】  猫背になる原因として日常生活でのこたつ、スマホ、老齢等で、猫背を治す方法は本人の意志の行動から高額な製品迄あるが、最近の新聞、テレビ等から猫背による諸病の増加が報じられている。
【発明の開示】
【発明が解決しようとする課題】
【０００３】  猫背対策の用具を衣服着用の背中に装着して首筋背筋を真直ぐにし、繰り返すことにより習性になるよう身に付け、猫背による諸病を少なくする。【０００４】  多数の人は背中をマッサージする場合はタオル等で洗う時位で、衣服を着用しながら手軽にマッサージ出来るようにする。
【発明の効果】
【０００５】  小学生以上ならば上述したように猫背対策具を縦に背中に装着しての立姿勢、座った姿勢は首筋背筋が真っ直ぐになり、繰り返すことにより習性となり、横に使用して上半身のマッサージが手軽に出来るようになる。【０００６】  猫背による諸病と誤飲による死亡率が高くなっている報道があり、手軽な対策として使用出来る。
【図面の簡単な説明】
【０００７】
【図１】長方形板の正面図
【図２】背中に猫背対策具を装着した側面図
【発明が解決するための手段】
【０００８】  立姿勢、座った姿勢でやむを得ない場合を除き、背筋が真直ぐの姿勢が多数の人の願望であり、上半身の癒しと猫背による諸病の減少になる用具を提供する。
【０００９】  上項の用具は１枚の長方形板で、背裏に横に置いて、両手で両端を握り手軽に両手を上下に移動させ脇下から腹裏の背筋を真直ぐにしながら容易にマッサージして背中の癒しとする。
【００１０】  首筋と背筋を真直ぐにするため、装着する方法は長方形板を縦に置き、上部に２個の穴を空け頭用紐の中心を帽子又は鉢巻の後部に縫い付け、紐の両端を穴に通して棒の裏で結び、下部にも２個の穴を空け穴を通した腹用紐の両端を腹上で解ける結び目を作って上下２ヶ所で装着する事により頭と腹上間は固定状態になり真直ぐになる。
【００１１】  上項で胸部を更に張った状態にしたい人には胸部裏で接触する板に胸用紐の通る２個の穴を空け、クッション材に付けた紐を２つの穴に通して板の裏で結び、クッション材によって胸を更に前に張った状態に出来る。
【００１２】  人は老齢になるに従い猫背による諸病、特に誤飲が多くなり、背を真直ぐにする習性を身に付ける事により、猫背による諸病予防に貢献することを特徴としている。
【発明を実施するための形態】
【００１３】  以下、本発明の形態を図１、図２に基づいて説明する。
【００１４】  図１に於いてＢは長方形板とし長さは頭部から腹部迄の長さ位にして、ＣとＣ１は帽子用穴として上部にあけ、中部のＣ２、Ｃ３は胸用穴としあけ、Ｃ４とＣ５は腹用穴として下部にあけた図です。
【００１５】  図２に於いてＤは頭用紐、Ｄ１は胸用紐、Ｄ２は腹用紐、Ｄ３は結び目、Ｅは帽子、Ｆはクッション材でＢからＦ迄を猫背対策具Ａに使用し頭と腹部間に装着した図です。
【００１６】  図２に於いて帽子Ｅの後部に頭用紐Ｄの中心を縫い付け、長方形板Ｂの帽子用穴Ｃ、Ｃ１に頭用紐Ｄを通して結び、結び目Ｄ３を作り、胸を少し前に出したい人はクッション材Ｆを付けた胸用紐Ｄ１を胸用穴Ｃ２、Ｃ３を通して結び目Ｄ３を作り、下部にあけた腹用穴Ｃ４、Ｃ５を通した腹用紐Ｄ２の両端を腹上で結んで結び目Ｄ３を作り、猫背対策具Ａを背に装着した図です。
【００１７】  上項の帽子Ｅを鉢巻に替え常時、帽子Ｅ又は鉢巻を長方形板Ｂに付けておけば、腹上での腹用紐Ｄ２の両端を繋ぐ事だけの短時間装着で首筋と背筋が真直ぐになる。
【００１８】  身体から猫背対策具Ａを外し、横にして背裏で脇の下から胸腹間に置いて両腕で後ろから抱えると脇の下迄容易に届き、長方形棒Ｂの両端辺を両手で握って上下に動かし背面、腹部面、側腹面をマッサージして皮膚の活性化を図る事が出来る。
【００１９】  人は老齢になるに従い猫背による諸病、特に誤飲が多くなり、猫背対策具Ａで背を真直ぐにする習性を身に付ける事により、猫背による誤飲諸病予防に貢献する事を目的としている。
【符号の説明】
【００２０】Ａ      猫背対策具
Ｂ      長方形板
Ｃ      帽子用穴
Ｃ１    帽子用穴
Ｃ２    胸用穴
Ｃ３    胸用穴
Ｃ４    腹用穴
Ｃ５    腹用穴
Ｄ      頭用紐
Ｄ１    胸用紐
Ｄ２    腹用紐
Ｄ３    結び目
Ｅ      帽子
Ｆ      クッション材
【図１】
2019000603.tif 000003
【図２】
2019000603.tif 000004
(57)【要約】      （修正有）【課題】浴室を清掃する際に、スリッパから浴室用履物に履き替えることは面倒であり、煩わしい。また、寒冷期であれば足が冷たく不快である。さらに、しばしば中が濡れていることがあり、いっそう不快を感じることになる。【解決手段】スリッパ４を履いたまま浴室用履物を履くという、重ね履きができる履物を提供する。これによりスリッパ４を脱ぐ手間が省かれる。さらに、スリッパ４を履いたままであることにより、足５の温度が保たれて、冷たさを感じない。中が多少濡れていてもそれを感じない。重ね履きができるように、胴部前面からかかと部まで斜めに履き口を設けることにより履き口の面積を広くとる。さらに、甲部を持ち上げることでもスリッパ４を履いたままの足５を入れやすくする。【選択図】図４
2019000606.tif 000002
【特許請求の範囲】
【請求項１】
履き口と甲部に、スリッパを履いたままの足を入れ、重ね履きができる形状を持たせたことを特徴とする浴室清掃用履物。
履き口の形状は、胴部前方からかかと部まで傾斜をつけたことを特徴とする浴室清掃用履物。
甲部の形状は、甲部を持ち上げたことを特徴とする浴室清掃用履物。
【発明の詳細な説明】
【技術分野】
【０００１】  この発明は、浴室の清掃に用いる履物の形状に関する。
【背景技術】
【０００２】  従来の浴室の清掃に用いられる履物の形状は、図５に示すような靴型である。
【先行技術文献】
【特許文献】
【０００３】
【特許文献１】特開２００２−７８５０１号公報
【非特許文献】
【０００４】
【非特許文献１】日本工業規格  Ｓ（日用品）ＪＩＳＳ５００５  長靴
【発明の概要】
【発明が解決しようとする課題】
【０００５】  浴室を清掃する際に、スリッパから従来の浴室用履物に履き替えることに煩わしさを感じる。また、寒い時期に従来の浴室用履物を履くと足は冷たさを感じる。さらに、中が少しでも濡れていると、不愉快である。
そこで、この発明は、簡単に履くことができ、冷たさを感じさせない。さらに、多少濡れていてもそれを感じない、浴室清掃用の履物を提供することを課題とする。
【課題を解決するための手段】
【０００６】  以上の課題を解決するために、第一発明は、スリッパを履いたまま重ね履きができる履物であることを特徴とする浴室清掃用履物である。
また、第二発明は、スリッパを履いたままの足を履物の中へ入れ、重ね履きができるように、履き口を胴部前面からかかと部へ、斜めに設けることにより履き口の面積を広くしたことを特徴とする浴室清掃用履物である。
また、第三発明は、甲部を上へ持ち上げることにより、重ね履きしやすくしたことを特徴とする浴室清掃用履物である。
【発明の効果】
【０００７】  第一発明、第二発明、または第三発明によれば、スリッパを履いたまま重ね履きすることにより、履き替えの煩わしさがなくなる。さらに、それまで履いていたスリッパを脱がなくてもよいことにより、スリッパの保温状態を維持できるので、冷たさを感じない。履物の中が多少濡れていても、スリッパを履いたままであることにより、それを感じなくて済む。
【図面の簡単な説明】
【０００８】
【図１】この発明の一実施形態を示す側面図である。
【図２】この発明の一実施形態を示す平面図である。
【図３】この発明の一実施形態を示す斜視図である。
【図４】使用状態を示した参考図である。
【図５】従来技術を示す側面図である。
【発明を実施するための形態】
【０００９】  この発明の一実施形態を、図１に示す。
１は履き口である。胴部前面からかかと部へ、斜めに設けてある。
２は甲部である。上へ持ち上げてある。
【実施例】
【００１０】  履き口を広く設けたこと、そして甲部を持ち上げたことにより、足首を曲げ伸ばししないで、スリッパを履いたまま履物に足が入れられ、重ね履きができる。
従来の浴室用履物においては、スリッパを履いたまま重ね履きをしようとすると、履物の中で足首は曲げることができても、硬く作られたスリッパの底は曲がりにくく、履物の中にスリッパを履いたままの足は入れることができない。
【符号の説明】
【００１１】  １  履き口
２  甲部
３  底部
４  スリッパ
５  足
【図１】
2019000606.tif 000003
【図２】
2019000606.tif 000004
【図３】
2019000606.tif 000005
【図４】
2019000606.tif 000006
【図５】
2019000606.tif 000007
(57)【要約】【課題】  運動器具としては特定の筋肉を単純に繰返す事により鍛えるものが多い。アミューズメント機器としては、ボードに対する利用者の足の動作が平面上に展開されていた。【解決手段】  利用者が足を乗せて操縦するボードに６軸のスプリングと圧力センサを施し、ボードの傾きやスライド・踏み込みの動きとその検出を実現する。利用者はＶＲメガネで画像を見ながら自身の体の動きを使って、スケートボード・スノーボード・サーフィン・ブレッドボード等の実際のスポーツと同じ運動を行う。アミューズメント機器やシュミレータとして使用する場合は、産業用多関節ロボットにてボードの位置や状態を制御する。【選択図】図３
2019000601.tif 000002
【特許請求の範囲】
【請求項１】
６軸のバネを使用する事により、利用者の視覚から見て平面動作だけでなく、押し付け動作と足首の傾き動作を可能にした。
【請求項２】
椅子の高さ調整を設け、仮想の各スポーツアクションにおいての基本ライド状態をばねの中間位置にて認識する事により、重力や反力等の物理現象のリアリティー追求と大腿筋の運動能力向上を増す。
【請求項３】
利用者が乗るボードを産業用ロボットにて動かし、実際の物理現象に近いボードの状態と反力を実現する。
【発明の詳細な説明】
【技術分野】
【０００１】  この発明はスケートボード・スノーボード・サーフィン・ブレッドボード等をイメージした運動器具、アミューズメント機器、技能訓練シュミレーターに関するものである。
【背景技術】
【０００２】  運動器具としてはスポーツジム等にある特定の筋肉を鍛える器具や家庭用のエキスパンダー等がある。アミューズメント機器としては、２次元動作機構を施したもの等ある。
【先行技術文献】
【特許文献】
【０００３】
【特許文献１】
【発明の概要】
【発明が解決しようとする課題】
【０００４】  運動器具としては特定の筋肉を単純に繰返す事により鍛えるものが多い。アミューズメント機器としては、ボードに対する利用者の足の動作が平面上に展開されていた。また、反力は一定の為、利用者は波等の物理現象によるボードの状態を体感する事は出来なかった。
【課題を解決するための手段】
【０００５】  利用者が足を乗せて操縦するボードに６軸のスプリングと圧力センサを施し、ボードの傾きスライド・踏み込みの動きとその検出を実現する。利用者はＶＲメガネで画像を見ながら自身の体の動きを使って、スケートボード・スノーボード・サーフィン・ブレッドボード等の実際のスポーツと同じ運動を行う。アミューズメント機器やシュミレータとして使用する場合は、産業用多関節ロボットにてボードの位置や状態を制御する。
【発明の効果】
【０００６】  ６軸のバネを施す事により、平面上の足の動作だけでなく、押し付ける動作や傾きとスライド動作を可能にした。これによりスケートボード・スノーボード・サーフィン・ブレッドボード等の実際の運動により近づく事を可能にし、より利用者の大腿筋の運動能力向上を引き出す。また、圧力センサを施し、ＶＲメガネを利用する事によりゲーム性取り入れて、利用者が楽しんで体力づくりや運動能力の向上が可能になる。更に、産業用多関節ロボットを利用する事により、実際の海の波や地面の傾斜・障害物の反発力等を再現し、リアリティーの追求と利用者の反射能力向上も可能にする。アスリートのスポーツ科学にも利用できる。
【図面の簡単な説明】
【０００７】
【図１】本発明の運動器具としての全体図である。
【図２】本発明の動作部における裏面からの詳細図である。
【図３】本発明のアミューズメント機器、またはシュミレーターとしての全体図である。
【発明を実施するための形態】
【０００８】  ボード（１）の底四隅にスプリングＡ（８）と圧力センサＡ（９）を施し傾きの動作と圧力の検出を行い、各スポーツにおいてのボード（１）の進行方向に対して前後の底面にスプリングＢ（１０）と圧力センサＢ（１１）を施し、ボード（１）のスライドの動作と圧力の検出を行う。利用者は椅子（４）に腰かけ上半身ベルト（５）で固定され、ＶＲメガネ（７）をかけ、ボード（１）に両足を載せ、椅子高さ調整ハンドル（６）にて椅子の高さを調整する。操作パネル（１６）で操作し、実際のスポーツ同様の運動を行う。バランスを崩した際は手すり（３）を掴み体制を整える。アミューズメント機器やシュミレータの場合は、産業用多関節ロボット（１４）とロボットコントローラ（１５）にてボード（１）の位置や状態を制御する。
【符号の説明】
【０００９】  １  ボード  ２  動作部  ３  手すり  ４  椅子  ５  上半身ベルト  ６  椅子高さ調整ハンドル  ７  ＶＲメガネ  ８  スプリングＡ  ９  圧力センサＡ  １０  スプリングＢ  １１  圧力センサＢ  １２  幌  １３  利用者  １４  産業用多関節ロボット  １５  ロボットコントローラ  １６  操作パネル
【図１】
2019000601.tif 000003
【図２】
2019000601.tif 000004
【図３】
2019000601.tif 000005
(57)【要約】【課題】  耳の穴等の穴の中の不要物を優しく・安全に、且つ効率的に除去する器具を提供する。膜状になって壁にこびりついた不要物も除去し易くなる器具である。【解決手段】  先端に軸と垂直に出たクランプ（１）を設け、先端から挿入限界の位置にストッパー（２）を設け、先端付近を吸引する為の吸引器（３）を施した器具を特徴とする。【選択図】図１
2019000605.tif 000002
【特許請求の範囲】
【請求項１】
挿入軸に対して垂直方向に出た二つの突起物による開閉機構を施す。
【請求項２】
先端が一定距離以上挿入出来なくする位置にストッパー機能を施す。
【請求項３】
吸引機能を施す。
【発明の詳細な説明】
【技術分野】
【０００１】  この発明は、耳の穴等の穴の中の不要物を優しく・安全に、且つ効率的に除去する為の器具に関するものである。
【背景技術】
【０００２】  通常は先端がスプーン形状のものがほとんどである。
【先行技術文献】
【特許文献】
【０００３】
【特許文献１】
【発明の概要】
【発明が解決しようとする課題】
【０００４】  膜状になって壁にこびりついたものを取る場合、先端がスプーン形状のものは痛みが生じやすく、ピンセットでは二つの先端が膜の平面に垂直に接触してしまう為、対象物を掴みずらく、また除去する前に破損し易い。また、誤って、あるいは無理をして限界長さ以上挿入すると危険であり、痛みも増大する。更に、除去時を含めて掴み損ないや対象物との接触時に、残りカスや破損カスが残存する。
【課題を解決するための手段】
【０００５】  先端に軸と垂直に出たクランプ（１）を設け、先端から挿入限界の位置にストッパー（２）を設ける。また、先端付近を吸引する為の吸引器（３）を施す。
【発明の効果】
【０００６】  先端の開閉機構を挿入軸に対して垂直に設けることによって、膜の裏表それぞれの表面にて挟み込む事が出来る。また、限界の挿入量の位置にストッパー機構を設ける事により、誤って挿入し過ぎる事故や痛みを減少出来る。更に、吸引機能を有することにより、掴み損ない時や対象物との接触時に、残りカスや破損カスの残存減少出来る。
【図面の簡単な説明】
【０００７】
【図１】  本発明の全体図である。
【発明を実施するための形態】
【０００８】  先端に軸と垂直に出たクランプ（１）を設け、対象物を膜の裏表それぞれの表面にて挟み込む事が出来る。先端から挿入限界の位置にストッパー（２）を設け、誤って挿入し過ぎる事故や痛みを減少する。また、先端付近を吸引する為の吸引器（３）を施し、掴み損ない時や対象物との接触時に、残りカスや破損カスの残存減少する。
【符号の説明】
【０００９】  １  クランプ
２  ストッパー
３  吸引器
【図１】
2019000605.tif 000003